(57)【要約】【課題】電子商取引における配送業務の効率化を図ることができる配送情報処理装置、配送情報処理方法および配送情報処理プログラムを提供する。【解決手段】本願に係る配送情報処理装置は、生成部と、提示部とを備える。生成部は、配送業者の配送可能時間帯が登録された配送マスタ情報、店舗の出荷可能時間帯が登録された店舗マスタ情報、および、電子商取引における購入者の購入情報に基づき、複数の商品の購入者へ向けた複数の配送プランを含む配送情報を生成する。提示部は、複数の配送プランを上記購入者へ提示する。【選択図】図２
2019057039.tif 000002
【特許請求の範囲】
【請求項１】
配送業者の配送可能時間帯が登録された配送マスタ情報、店舗の出荷可能時間帯が登録された店舗マスタ情報、および、電子商取引における購入者の購入情報に基づき、複数の商品の前記購入者へ向けた複数の配送プランを含む配送情報を生成する生成部と、
前記複数の配送プランを前記購入者へ提示する提示部と
を備えることを特徴とする配送情報処理装置。
【請求項２】
前記複数の商品は、異なる店舗で購入された商品であること
を特徴とする請求項１に記載の配送情報処理装置。
【請求項３】
前記異なる店舗は、
１つの事業者が提供する電子商店街における異なる店舗であること
を特徴とする請求項２に記載の配送情報処理装置。
【請求項４】
前記複数の配送プランのそれぞれは、
少なくとも前記配送業者、配送予定日時および配送料金の組み合わせであること
を特徴とする請求項１、２または３に記載の配送情報処理装置。
【請求項５】
前記配送マスタ情報は、
前記配送業者ごとの前記配送可能時間帯および該配送業者それぞれが前記複数の商品をまとめて配送する場合の前記配送料金に関する情報を含む情報であり、
前記店舗マスタ情報は、
前記店舗ごとの前記出荷可能時間帯および該店舗ごとに利用可能な前記配送業者を含む情報であること
を特徴とする請求項４に記載の配送情報処理装置。
【請求項６】
前記生成部は、
前記複数の配送プランとして、基本プランおよび該基本プラン以外の推奨プランを生成すること
を特徴とする請求項５に記載の配送情報処理装置。
【請求項７】
前記生成部は、
前記購入者が前記複数の商品を最も早く受け取れる場合を前記基本プランとして生成すること
を特徴とする請求項６に記載の配送情報処理装置。
【請求項８】
前記生成部は、
前記配送料金が最も安くなる場合を前記基本プランとして生成すること
を特徴とする請求項６または７に記載の配送情報処理装置。
【請求項９】
前記生成部は、
前記購入者が所定の場所へ受け取りに行く場合を前記推奨プランとして生成すること
を特徴とする請求項６、７または８に記載の配送情報処理装置。
【請求項１０】
前記提示部によって提示された前記複数の配送プランに対する操作を受け付ける受付部
をさらに備え、
前記提示部は、
前記購入者によっていずれか１つが選択可能となるように前記複数の配送プランを提示し、
前記受付部は、
前記複数の配送プランに対する前記購入者の選択操作を受け付けたならば、選択された配送プランの内容で前記複数の商品が配送されるように、前記生成部に前記配送情報を変更させること
を特徴とする請求項１〜９のいずれか一つに記載の配送情報処理装置。
【請求項１１】
前記受付部は、
前記購入者によって指定される任意の配送プランを受け付け可能であって、
前記生成部は、
前記受付部によって前記任意の配送プランが受け付けられた場合に、該任意の配送プランが前記配送マスタ情報および前記店舗マスタ情報に基づいて配送不可と判定される場合であっても、前記任意の配送プランを前記配送情報へ登録し、
前記提示部は、
前記任意の配送プランが登録された場合に、該任意の配送プランでの配送が可能な前記配送業者および前記店舗からの申し込みの受け付けが可能となるように、当該任意の配送プランを前記配送業者および前記店舗へ提示すること
を特徴とする請求項１０に記載の配送情報処理装置。
【請求項１２】
配送業者の配送可能時間帯が登録された配送マスタ情報、店舗の出荷可能時間帯が登録された店舗マスタ情報、および、電子商取引における購入者の購入情報に基づき、複数の商品の前記購入者へ向けた複数の配送プランを含む配送情報を生成する生成工程と、
前記複数の配送プランを前記購入者へ提示する提示工程と
を含むことを特徴とする配送情報処理方法。
【請求項１３】
配送業者の配送可能時間帯が登録された配送マスタ情報、店舗の出荷可能時間帯が登録された店舗マスタ情報、および、電子商取引における購入者の購入情報に基づき、複数の商品の前記購入者へ向けた複数の配送プランを含む配送情報を生成する生成手順と、
前記複数の配送プランを前記購入者へ提示する提示手順と
をコンピュータに実行させることを特徴とする配送情報処理プログラム。
【発明の詳細な説明】
【技術分野】
【０００１】
本発明は、配送情報処理装置、配送情報処理方法および配送情報処理プログラムに関する。
【背景技術】
【０００２】
近年、インターネットなどのネットワークの飛躍的な普及に伴い、かかるネットワークを介した電子的な情報通信によって商品やサービスの売買などを行う電子商取引が盛んに行われている。
【０００３】
かかる電子商取引で商品を購入した場合、商品は通常、配送業者により、購入者の指定する自宅などへ配送されるが、電子商取引はその手軽さから、１人の購入者が短期間に複数の店舗で複数の発注を行うなど、小口多頻度の配送が発生する場合が多い。このため、受取主が不在で再配送となってしまう機会が多くなるなど、電子商取引の普及に伴っては、配送業務の効率化が強く求められている。
【０００４】
そこで、たとえば受取主が不在の場合に、配送担当者が携帯端末からその旨と伝票番号、受取主特定情報などを配送コンピュータへ送信し、配送コンピュータは、受取主特定情報を基に該当の受取主へ不在連絡メールを送信して、再配送に必要となる情報の入力を促すといった技術が提案されている（たとえば、特許文献１参照）。
【先行技術文献】
【特許文献】
【０００５】
【特許文献１】特開２００７−１０８８０７号公報
【発明の概要】
【発明が解決しようとする課題】
【０００６】
しかしながら、上記従来の技術は、受取主が不在で再配送が必要となった場合の配送業務の効率化を図るものに過ぎす、再配送そのものが発生する機会を減らすものではない。
【０００７】
本願は、上記に鑑みてなされたものであって、電子商取引における配送業務の効率化を図ることができる配送情報処理装置、配送情報処理方法および配送情報処理プログラムを提供することを目的とする。
【課題を解決するための手段】
【０００８】
本願に係る配送情報処理装置は、生成部と、提示部とを備える。前記生成部は、配送業者の配送可能時間帯が登録された配送マスタ情報、店舗の出荷可能時間帯が登録された店舗マスタ情報、および、電子商取引における購入者の購入情報に基づき、複数の商品の前記購入者へ向けた複数の配送プランを含む配送情報を生成する。前記提示部は、前記複数の配送プランを前記購入者へ提示する。
【発明の効果】
【０００９】
実施形態の一態様によれば、電子商取引における配送業務の効率化を図ることができる配送情報処理装置、配送情報処理方法および配送情報処理プログラムを提供することができる。
【図面の簡単な説明】
【００１０】
【図１】図１は、実施形態に係る配送情報処理システムの動作の概要説明図である。
【図２】図２は、実施形態に係る配送情報処理システムの構成の一例を示すブロック図である。
【図３Ａ】図３Ａは、購入情報テーブルの一例を示す図である。
【図３Ｂ】図３Ｂは、配送マスタ情報テーブルの一例を示す図である。
【図３Ｃ】図３Ｃは、店舗マスタ情報テーブルの一例を示す図である。
【図４Ａ】図４Ａは、配送情報テーブル（変更前）の一例を示す図である。
【図４Ｂ】図４Ｂは、複数の配送プランの内訳の説明図である。
【図４Ｃ】図４Ｃは、基本プラン例その１を示す図である。
【図４Ｄ】図４Ｄは、基本プラン例その２を示す図である。
【図４Ｅ】図４Ｅは、推奨プラン例その１を示す図である。
【図４Ｆ】図４Ｆは、推奨プラン例その２を示す図である。
【図５】図５は、購入者への複数の配送プランの提示例を示す図である。
【図６】図６は、購入者により任意の配送プランが指定された場合の処理シーケンスの一例を示す図である。
【図７】図７は、実施形態に係る配送情報処理装置が実行する処理手順を示すフローチャートである。
【図８】図８は、配送情報処理装置の機能を実現するコンピュータの一例を示すハードウェア構成図である。
【発明を実施するための形態】
【００１１】
以下に、本願に係る配送情報処理装置、配送情報処理方法および配送情報処理プログラムの実施形態について図面を参照しつつ詳細に説明する。なお、以下に示す実施形態によりこの発明が限定されるものではない。
【００１２】
また、以下では、本実施形態に係る配送情報処理装置１０を備える配送情報処理システム１を例に、かかる配送情報処理システム１の動作の概要について図１を用いて説明した後に、本実施形態に係る配送情報処理装置１０の具体的な構成について図２〜図８を用いて説明することとする。
【００１３】
また、以下では、電子商取引を行う購入者Ａが、１つの事業者が運営する電子商店街（以下、「サイバーモールＳＭ」と記載する）の中の異なる店舗ＳＰ１，ＳＰ２，ＳＰ３…で複数の商品を購入する場合を主たる例に挙げる。
【００１４】
〔１．配送情報処理システムの動作の概要〕
まず、本実施形態に係る配送情報処理システム１の動作の概要について図１を用いて説明する。図１は、本実施形態に係る配送情報処理システム１の動作の概要説明図である。
【００１５】
図１に示すように、配送情報処理システム１は、配送情報処理装置１０を備える。配送情報処理装置１０は、サイバーモールＳＭの各店舗ＳＰ１，ＳＰ２，ＳＰ３…の受注データを定期的にデータ収集し（ステップＳ１）、購入情報１３ａへ格納する。
【００１６】
したがって、購入者Ａが店舗ＳＰ１，ＳＰ２，ＳＰ３…のそれぞれへ短期間の間に商品を発注した場合、購入情報１３ａには購入者Ａが店舗ＳＰ１，ＳＰ２，ＳＰ３の各店舗で購入した各商品の購入データが含まれることとなる。なお、購入情報１３ａのデータ構成の具体例については図３Ａを用いた説明で後述する。
【００１７】
また、配送情報処理装置１０は、配送マスタ情報１３ｂと、店舗マスタ情報１３ｃとを保持している。配送マスタ情報１３ｂは、少なくとも配送業者ごとの配送可能時間帯が登録された情報である。店舗マスタ情報１３ｃは、少なくとも各店舗ＳＰ１，ＳＰ２，ＳＰ３…の出荷可能時間帯が登録された情報である。これら配送マスタ情報１３ｂおよび店舗マスタ情報１３ｃのデータ構成の具体例については、図３Ｂおよび図３Ｃを用いた説明で後述する。
【００１８】
そして、図１に示すように、配送情報処理装置１０は、これら購入情報１３ａ、配送マスタ情報１３ｂおよび店舗マスタ情報１３ｃに基づき、配送情報１３ｄを生成する（ステップＳ２）。配送情報１３ｄは、購入者それぞれが購入した商品の配送に関する情報である。
【００１９】
また、図１に示すように、配送情報処理装置１０は、配送情報１３ｄの生成において、複数の店舗ＳＰ１，ＳＰ２，ＳＰ３で複数の商品を購入している購入者Ａについては、集約化および最適化した複数の配送プランを生成する（ステップＳ３）。
【００２０】
具体的には、配送情報処理装置１０は、購入者Ａが、それぞれ異なる店舗ＳＰ１，ＳＰ２，ＳＰ３で購入し、それぞれ別の配送業者Ｄ１，Ｄ２，Ｄ３で個別に配送される予定だった購入商品ａ，ｄ，ｅを、たとえばまとめて配送業者Ｄ１により同じ配送予定日時に配送される内容の配送プランを生成する。なお、配送情報処理装置１０は、少なくとも基本的な集約化および最適化がなされた基本プランと、お薦めの推奨プランとを生成することができる。
【００２１】
そのうえで、配送情報処理装置１０は、購入者Ａに対し、生成した複数の配送プランを提示する（ステップＳ４）。購入者Ａは、提示された複数の配送プランをたとえば選択操作して、所望の配送プランを登録したり、任意の配送条件を指定操作して、変更したりなどすることができる（ステップＳ５）。
【００２２】
配送情報１３ｄのデータ構成の具体例や、基本プラン、推奨プランの具体例、購入者Ａへの提示例および購入者Ａによる操作の具体例などについては、図４Ａ〜図６を用いた説明で後述する。
【００２３】
このように、実施形態に係る配送情報処理装置１０では、電子商取引における購入者の購入情報１３ａを定期的に収集する。そして、配送業者の配送可能時間帯が登録された配送マスタ情報１３ｂ、店舗の出荷可能時間帯が登録された店舗マスタ情報１３ｃ、および、購入情報１３ａに基づき、複数の購入商品ａ，ｄ，ｅの購入者Ａへ向け集約化および最適化された複数の配送プランを含む配送情報１３ｄを生成する。そして、複数の配送プランを購入者Ａへ提示し、購入者Ａから指定された内容で購入商品ａ，ｄ，ｅが配送されるように配送情報１３ｄを変更する。
【００２４】
すなわち、本実施形態に係る配送情報処理装置１０によれば、購入者Ａへ個別に配送予定の購入商品ａ，ｄ，ｅを、まとめて且つ購入者Ａの意向に沿った内容で配送することが可能となるので、受取主の不在により再配送が発生する機会を減らすことができる。したがって、本実施形態に係る配送情報処理装置１０によれば、電子商取引における配送業務の効率化を図ることができる。
【００２５】
なお、図１に示すように、配送情報１３ｄは、各配送業者および各出店者により適宜、確認、修正等を行うことができる（ステップＳ６）。したがって、本実施形態に係る配送情報処理装置１０によれば、サイバーモールＳＭの各店舗ＳＰ１，ＳＰ２，ＳＰ３…で購入された各商品の配送に関する情報を、購入者、配送業者および店舗間で、配送情報１３ｄにより統合的に管理することができる。すなわち、本実施形態に係る配送情報処理装置１０によれば、電子商取引における配送業務の効率化を図ることができる。
【００２６】
以下、図１を用いて説明した配送情報処理システム１の構成について、さらに詳しく説明する。
【００２７】
〔２．配送情報処理システムの構成〕
配送情報処理システム１の構成について具体的に説明する。図２は、実施形態に係る配送情報処理システム１の構成の一例を示すブロック図である。
【００２８】
なお、図２では、配送情報処理システム１の説明に必要となる構成要素のみを示しており、一般的な構成要素についての記載を省略している。また、図２を用いた説明では、主に配送情報処理装置１０の構成について説明するが、既に説明済みの構成要素についてはその説明を簡略化するか、省略する場合がある。
【００２９】
図２に示すように、配送情報処理システム１は、配送情報処理装置１０と、購入者、配送業者、店舗のそれぞれが運用・管理する各装置とを備える。配送情報処理装置１０と、購入者、配送業者、店舗の各装置は、通信ネットワークＮを介して相互に通信可能に接続される。通信ネットワークＮは、たとえばインターネットなどのＷＡＮ（Wide  Area  Network）である。配送情報処理装置１０は、通信部１１と、制御部１２と、記憶部１３とを備える。
【００３０】
（記憶部１３について）
記憶部１３は、たとえば、ＲＡＭ（Random  Access  Memory）、フラッシュメモリ（Flash  Memory）等の半導体メモリ素子、または、ハードディスク、光ディスク等の記憶装置によって実現され、図２の例では、購入情報１３ａと、配送マスタ情報１３ｂと、店舗マスタ情報１３ｃと、配送情報１３ｄと、配送履歴情報１３ｅとを記憶する。
【００３１】
（通信部１１について）
通信部１１は、たとえばＮＩＣ（Network  Interface  Card）などのインターフェイスである。制御部１２は、通信部１１および通信ネットワークＮを介して、購入者、配送業者、店舗の各装置との間で各種の情報を送受信可能である。
【００３２】
（制御部１２について）
制御部１２は、図１を用いて説明した配送情報処理装置１０の動作についての全体制御を行う。具体的に、制御部１２は、たとえばＣＰＵ（Central  Processing  Unit）やＭＰＵ（Micro  Processing  Unit）等によって、配送情報処理装置１０内部の記憶装置に記憶されている各種プログラムがＲＡＭ（Random  Access  Memory）を作業領域として実行されることにより実現される。また、制御部１２は、たとえば、ＡＳＩＣ（Application  Specific  Integrated  Circuit）やＦＰＧＡ（Field  Programmable  Gate  Array）等の集積回路により実現されてもよい。
【００３３】
図２に示すように、制御部１２は、収集部１２ａと、生成部１２ｂと、提示部１２ｃと、受付部１２ｄとを有し、以下に説明する情報処理の機能や作用を実現または実行する。なお、制御部１２の内部構成は、図２に示した構成に限られず、後述する情報処理を行うことができる構成であれば他の構成であってもよい。また、制御部１２が有する各処理部の接続関係は、図２に示した接続関係に限られず、他の接続関係であってもよい。
【００３４】
（収集部１２ａについて）
収集部１２ａは、通信部１１および通信ネットワークＮを介して各店舗の装置、たとえばサーバ装置へアクセスし、各店舗の受注データ、言い換えれば各店舗における各購入者の発注データである購入データを定期的に収集し、購入情報１３ａへ格納する。
【００３５】
（購入情報テーブルについて）
ここで、購入情報１３ａの有する購入情報テーブルについて説明しておく。図３Ａは、購入情報テーブルの一例を示す図である。図３Ａに示すように、購入情報テーブルには、購入データ１件ごとの識別子である「購入情報ＩＤ」ごとに、たとえば「購入者」、「店舗」、「購入日時」、「購入商品」、「配送先」、「配送予定日時」、「配送業者」および「配送料金」等が関連付けられた情報が含まれる。
【００３６】
「購入者」は、商品を購入した各購入者の識別情報であり、「店舗」は、商品が購入された店舗の識別情報である。「購入日時」は、商品が購入された日時であり、「購入商品」は、購入された商品の識別情報である。「配送先」、「配送予定日時」、「配送業者」および「配送料金」は、購入された商品の配送に関する情報であり、商品の購入時にたとえば購入者により指定されたものである。
【００３７】
図３Ａの例では、たとえば店舗ＳＰ１で購入された商品は配送業者Ｄ１によって配送され、店舗ＳＰ２で購入された商品は配送業者Ｄ２によって配送され、店舗ＳＰ３で購入された商品は配送業者Ｄ３によって配送される設定となっていることが分かる。
【００３８】
このように、電子商取引では、同じサイバーモールＳＭであっても店舗が異なれば、各店舗で利用可能な（あるいは既定の）配送業者が異なる場合も多い。したがって、同じ購入者（たとえば購入者Ａ）が異なる店舗でそれぞれ商品を購入すれば、配送先が同じであっても別業者による別配送で商品が配送されることとなる。図１での説明と一部重複するが、本実施形態に係る配送情報処理装置１０は、このような購入情報１３ａにおいて、複数の商品の購入者の配送に関する情報を集約化および最適化し、購入者へ提示して変更可能とさせることで、配送業務の効率化を図るものである。
【００３９】
（生成部１２ｂについて）
図２の説明に戻る。生成部１２ｂは、購入情報１３ａ、配送マスタ情報１３ｂおよび店舗マスタ情報１３ｃに基づき、複数の商品の購入者へ向けた、集約化および最適化された複数の配送プランを含む配送情報１３ｄを生成する。
【００４０】
（配送情報テーブルおよび店舗マスタ情報テーブルについて）
ここで、配送マスタ情報１３ｂの有する配送マスタ情報テーブル、および、店舗マスタ情報１３ｃの有する店舗マスタ情報テーブルについて説明しておく。図３Ｂは、配送マスタ情報テーブルの一例を示す図である。また、図３Ｃは、店舗マスタ情報テーブルの一例を示す図である。
【００４１】
図３Ｂに示すように、配送マスタ情報テーブルには、「配送業者」ごとの配送に関する基本情報である、たとえば「配送可能時間帯」や「複数配送割引」等があらかじめ登録されている。「配送可能時間帯」は、文字通り各配送業者が配送可能な時間帯である。また、「複数配送割引」は、複数の商品をまとめて配送する場合の配送料金に関する情報の一例であり、図３Ｂの例では、たとえば配送業者Ｄ１は１個あたり５０円を割り引き、配送業者Ｄ３は１個あたり１００円を割り引き、配送業者Ｄ２，Ｄ４は割り引かないことが分かる。
【００４２】
また、図３Ｃに示すように、店舗マスタ情報テーブルには、「店舗」ごとの配送に関する基本情報である、たとえば「出荷可能時間帯」や「利用可能配送業者」等があらかじめ登録されている。「出荷可能時間帯」は、文字通り各店舗で商品の出荷が可能な時間帯である。また、「利用可能配送業者」は、各店舗で商品を購入した場合に利用可能な配送業者の識別情報であり、複数の設定が可能である。また、複数のうちのいずれか１つを、既定値とすることもできる。
【００４３】
このような配送マスタ情報１３ｂ、店舗マスタ情報１３ｃおよび既に説明した購入情報１３ａに基づき、生成部１２ｂは、複数の商品の購入者へ向けた複数の配送プランを含む配送情報１３ｄを生成する。
【００４４】
（生成部１２ｂによる生成処理の具体例について）
ここで、かかる生成部１２ｂによる生成処理の具体例について、図４Ａ〜図４Ｆを用いて説明する。図４Ａは、配送情報テーブル（変更前）の一例を示す図である。また、図４Ｂは、複数の配送プランの内訳の説明図である。
【００４５】
また、図４Ｃは、基本プラン例その１を示す図である。また、図４Ｄは、基本プラン例その２を示す図である。また、図４Ｅは、推奨プラン例その１を示す図である。また、図４Ｆは、推奨プラン例その２を示す図である。
【００４６】
まず、図４Ａに示すように、生成部１２ｂは、たとえば既に図３Ａで説明した購入情報１３ａから商品の配送に関する各項目を抽出するとともに、処理に必要となる追加項目を追加して、配送情報１３ｄのベースとなる変更前の配送情報テーブルを生成する。なお、ここに言う「変更前」は、前述の集約化および最適化の前であることを指す。
【００４７】
たとえば図４Ａに示すように、変更前の配送情報テーブルには、購入情報１３ａから抽出された「購入者」、「店舗」、「購入商品」、「配送先」、「配送予定日時」、「配送業者」および「配送料金」の各項目が含まれる。また、たとえば追加項目として、「変更可否」が追加される。かかる「変更可否」は、現在時刻や前述の「出荷可能時間帯」等からみた、集約化および最適化の可否を指す。
【００４８】
したがって、購入者Ａの購入した複数の商品の配送を集約化および最適化する場合、図４Ａの例では、購入商品ｘに関するレコードが変更可否「不可」であるので、破線で示すＭ１部で囲まれたデータが集約化および最適化の対象となる。
【００４９】
そして、図４Ｂに示すように、生成部１２ｂは、かかるＭ１部から複数の配送プランとして、「基本プラン」とかかる基本プラン以外でレコメンドすべき「推奨プラン」を生成する。
【００５０】
基本プラン例その１について説明する。図４Ｃに示すように、たとえば生成部１２ｂは、前述のＭ１部のデータ、配送マスタ情報１３ｂおよび店舗マスタ情報１３ｃに基づき、購入者Ａが購入商品ａ，ｄ，ｅをまとめて「最も早く受け取れる場合」を基本プランとして生成する。かかる基本プランにより、購入者Ａは予定よりも早くすべての購入商品ａ，ｄ，ｅを受け取れると言う利便性を得ることができる。また、各店舗や各配送業者、サイバーモールＳＭを運営する事業者は、購入者Ａの満足度を向上させることができるとともに、顧客のリピート率の向上等を見込むことができる。
【００５１】
次に、基本プラン例その２について説明する。また、図４Ｄに示すように、たとえば生成部１２ｂは、前述のＭ１部のデータ、配送マスタ情報１３ｂおよび店舗マスタ情報１３ｃに基づき、配送料金に着目して、配送業者Ｄ１，Ｄ２，Ｄ３ごとで購入商品ａ，ｄ，ｅがまとめて配送される場合の配送料金を算出する。
【００５２】
たとえば、配送業者Ｄ１によれば、既に図３Ｂにも一例として示した１個あたり５０円の割り引きが適用され、購入商品ａ，ｄ，ｅの一括配送の配送料金は１，３５０円（＝（５００円−５０円）×３）となる。また、たとえば、配送業者Ｄ２によれば、複数配送割り引きは「無」であるので、購入商品ａ，ｄ，ｅの一括配送の配送料金は１，８００円（＝６００円×３）となる。また、たとえば、配送業者Ｄ３によれば、これも図３Ｂに一例として示した１個あたり１００円の割り引きが適用され、購入商品ａ，ｄ，ｅの一括配送の配送料金は１，２００円（＝（５００円−１００円）×３）となる。
【００５３】
そして、かかる算出結果に基づき、生成部１２ｂは、購入商品ａ，ｄ，ｅがまとめて配送される場合に「最も安くなる場合」を基本プランとして生成する。かかる基本プランにより、購入者Ａはすべての購入商品ａ，ｄ，ｅの配送料金を予定よりも安く済ませることができると言う利便性を得ることができる。また、各店舗や各配送業者、サイバーモールＳＭを運営する事業者は、やはり購入者Ａの満足度を向上させることができるとともに、顧客のリピート率の向上等を見込むことができる。
【００５４】
次に、推奨プラン例その１について説明する。図４Ｅに示すように、たとえば生成部１２ｂは、前述のＭ１部のデータ、配送マスタ情報１３ｂおよび店舗マスタ情報１３ｃに基づき、「購入者が所定の場所で受け取る場合」を推奨プランとして生成する。所定の場所は、たとえば図４Ｅに示すように元の配送先「ａｄｄ＿Ａ」近くのコンビニＧや、同じく配送先「ａｄｄ＿Ａ」に最も近い配送業者の拠点、ロッカー等が好適である。
【００５５】
また、この場合、購入者Ａに受け取りに行ってもらうことに対する対価として、「クーポン発行」が「有」となるように、「配送料金が割り引かれるように設定」が行われてもよい。
【００５６】
かかる推奨プランにより、購入者Ａはすべての購入商品ａ，ｄ，ｅを安い配送料金で、かつ、店頭で確実に受け取ることができると言う利便性を得ることができる。また、各配送業者等は、再配送の機会を大幅に減らすことができるので、電子商取引における配送業務の効率化を図ることができる。
【００５７】
次に、推奨プラン例その２について説明する。また、図４Ｆに示すように、たとえば生成部１２ｂは、前述のＭ１部のデータ、配送マスタ情報１３ｂ、店舗マスタ情報１３ｃおよび配送履歴情報１３ｅに基づき、推奨プランを生成することができる。
【００５８】
ここで、配送履歴情報１３ｅは、過去に確定した配送の履歴に関する情報であって、後述する受付部１２ｄ等によって格納される。生成部１２ｂは、かかる配送履歴情報１３ｅを学習し、たとえば「購入者Ａは土曜日の受け取り実績が多い…」といった「受け取り実績に基づいて土曜日へ配送予定日時を変更」した推奨プランを生成する。
【００５９】
このように受け取り確率が高いと予想される配送予定日時へ変更した推奨プランにより、購入者Ａは、自身が不在でない可能性が高いタイミングですべての購入商品ａ，ｄ，ｅを受け取りやすくなると言う利便性を受けることができる。また、各配送業者等は、再配送が発生する機会を大幅に減らすことができるので、電子商取引における配送業務の効率化を図ることができる。
【００６０】
（提示部１２ｃについて）
図２の説明に戻る。提示部１２ｃは、生成部１２ｂによって生成された複数の配送プランを購入者Ａへ提示する。
【００６１】
（購入者Ａへの提示例および購入者Ａによる操作の具体例について）
ここで、図５を用いて、購入者Ａへの提示例および購入者Ａによる操作の具体例について説明する。図５は、購入者Ａへの複数の配送プランの提示例を示す図である。
【００６２】
提示部１２ｃは、購入者Ａが有する装置、たとえば端末装置にブラウザ等を介して画像表示させることにより、購入者Ａへ複数の配送プランを提示する。たとえば図５の例では、購入者Ａが有する装置の表示部に「配送プラン一覧」画面が表示され、上述の基本プランに対応する「ベーシックプラン」、同じく推奨プランに対応する「おすすめプラン」が表示され、提示された場合を示している。
【００６３】
購入者Ａは、「ベーシックプラン」または「おすすめプラン」に対応するチェックボックスＣＢ１またはＣＢ２をチェックし、「登録」ボタンＴＢ１を押下することによって、「ベーシックプラン」または「おすすめプラン」のうちのいずれか１つの選択を完了する。なお、図５の例の場合、「おすすめプラン」はクーポン「有」であるので、かかる「おすすめプラン」の選択完了とともに、購入者Ａの有するプリンタでクーポンを印刷するようにガイダンス表示等がなされてもよい。
【００６４】
また、図５に示すように、提示部１２ｃは、「ベーシックプラン」および「おすすめプラン」に加えて、購入者Ａにより指定される任意の配送プランに対応する「おこのみプラン」の入力欄を表示させるようにしてもよい。たとえば、購入者Ａが「おこのみプラン」に対応するチェックボックスＣＢ３をチェックし、所望する任意の配送条件を入力のうえ「登録」ボタンＴＢ１を押下することによって、「おこのみプラン」の指定を完了させることができる。
【００６５】
（受付部１２ｄについて）
図２の説明に戻る。受付部１２ｄは、提示部１２ｃによって提示された複数の配送プランに対する操作を受け付ける。具体的には、図５の例で、たとえば「ベーシックプラン」または「おすすめプラン」のうちのいずれか１つが選択された場合、受付部１２ｄは、選択された配送プランの内容で購入商品ａ，ｄ，ｅが配送されるように、生成部１２ｂに配送情報１３ｄを変更させる。言い換えれば、生成部１２ｂは、購入者Ａに対する購入商品ａ，ｄ，ｅの配送は、受付部１２ｄで受け付けられた配送プランの内容のみが有効となるように配送情報１３ｄを変更する。
【００６６】
また、受付部１２ｄは、図５を用いて説明した「おこのみプラン」、すなわち購入者Ａによって指定される任意の配送プランを受け付け可能である。受付部１２ｄは、かかる任意の配送プランを受け付けた場合、かかる配送プランを、生成部１２ｂに配送情報１３ｄへ登録させる。
【００６７】
ただし、任意の配送プランの場合、指定された配送条件が、配送マスタ情報１３ｂおよび店舗マスタ情報１３ｃの各項目の組み合わせにそぐわずに、配送不可となることが考えられる。すなわち、購入者Ａが所望する配送予定日時や配送先、配送業者、配送料金等の組み合わせを配送マスタ情報１３ｂおよび店舗マスタ情報１３ｃに基づいては得られない場合である。
【００６８】
かかる場合、すなわち受付部１２ｄによって受け付けられた任意の配送プランが、配送マスタ情報１３ｂおよび店舗マスタ情報１３ｃに基づいて配送不可と判定される場合であっても、生成部１２ｂは、かかる配送不可の配送プランを配送情報１３ｄへ登録する。
【００６９】
そして、提示部１２ｃは、かかる配送不可の配送プランが登録された場合に、かかる配送プランでの配送が可能な配送業者および店舗からの申し込みの受け付けが可能となるように配送業者および店舗へ提示する。
【００７０】
（購入者Ａにより任意の配送プランが指定された場合の具体例について）
より具体的に図６を用いて説明する。図６は、購入者Ａにより任意の配送プランが指定された場合の処理シーケンスの一例を示す図である。
【００７１】
図６に示すように、購入者Ａが任意の配送プランである「おこのみプラン」を指定した場合（ステップＳ１１）、配送情報処理装置１０は、生成部１２ｂが、かかる配送プランの内容を配送情報１３ｄへ登録する（ステップＳ１２）。
【００７２】
ここで、登録された配送プランは、配送マスタ情報１３ｂおよび店舗マスタ情報１３ｃに基づいて配送不可と判定される場合（ステップＳ１３，Ｙｅｓ）、提示部１２ｃは、かかる配送プランでの配送が可能な配送業者および店舗からの申し込みの受け付けが可能となるように、配送可能な業者を募集する（ステップＳ１４）。
【００７３】
配送業者および店舗は、かかる募集に対し配送可能であるならば、申し込みを行う（ステップＳ１５）。かかる申し込みは、受付部１２ｄが受け付ける（ステップＳ１６）。また、ステップＳ１３の判定条件を満たさない場合は（ステップＳ１３，Ｎｏ）、ステップＳ１７へ制御を移す。
【００７４】
そして、ステップＳ１７では、たとえば提示部１２ｃが、「おこのみプラン」での配送が受け付けられたことを購入者Ａへ通知する。
【００７５】
（受付部１２ｄについての続き）
図２の説明に戻る。また、受付部１２ｄは、受け付けられ、実行されることが確定した配送プラン等の履歴情報を配送履歴情報１３ｅへ格納し、蓄積する。
【００７６】
〔３．配送情報処理装置の処理手順〕
次に、実施形態に係る配送情報処理装置１０が実行する処理手順について説明する。図７は、実施形態に係る配送情報処理装置１０が実行する処理手順を示すフローチャートである。なお、図７に示す処理手順は、収集部１２ａによる収集１回分に対応するものであって、収集部１２ａによる収集が繰り返される間、これに応じて繰り返される。
【００７７】
図７に示すように、まず収集部１２ａが、電子商取引における購入者の購入情報１３ａを収集する（ステップＳ１０１）。そして、生成部１２ｂが、配送マスタ情報１３ｂ、店舗マスタ情報１３ｃおよび購入情報１３ａに基づいて配送情報１３ｄを生成する（ステップＳ１０２）。
【００７８】
生成部１２ｂは、複数の商品を購入した購入者Ａについては、集約化および最適化した配送プランを生成する（ステップＳ１０３）。そして、提示部１２ｃが、購入者Ａへ複数の配送プランを提示する（ステップＳ１０４）。
【００７９】
そして、受付部１２ｄが、提示した配送プランに対する購入者Ａの操作を受け付けたならば、生成部１２ｂが、かかる操作に応じて配送情報１３ｄを変更し（ステップＳ１０５）、処理を終了する。
【００８０】
〔４．ハードウェア構成〕
なお、実施形態に係る配送情報処理装置１０は、例えば図８に示すような構成のコンピュータ６０によって実現される。図８は、配送情報処理装置１０の機能を実現するコンピュータの一例を示すハードウェア構成図である。コンピュータ６０は、ＣＰＵ（Central  Processing  Unit）６１、ＲＡＭ（Random  Access  Memory）６２、ＲＯＭ（Read  Only  Memory）６３、ＨＤＤ（Hard  Disk  Drive）６４、通信インターフェイス（Ｉ／Ｆ）６５、入出力インターフェイス（Ｉ／Ｆ）６６、およびメディアインターフェイス（Ｉ／Ｆ）６７を備える。
【００８１】
ＣＰＵ６１は、ＲＯＭ６３またはＨＤＤ６４に格納されたプログラムに基づいて動作し、各部の制御を行う。ＲＯＭ６３は、コンピュータ６０の起動時にＣＰＵ６１によって実行されるブートプログラムや、コンピュータ６０のハードウェアに依存するプログラム等を格納する。
【００８２】
ＨＤＤ６４は、ＣＰＵ６１によって実行されるプログラムおよび当該プログラムによって使用されるデータ等を格納する。通信インターフェイス６５は、通信部１１に対応し、通信ネットワークＮを介して他の機器からデータを受信してＣＰＵ６１へ送り、ＣＰＵ６１が生成したデータを、通信ネットワークＮを介して他の機器へ送信する。
【００８３】
ＣＰＵ６１は、入出力インターフェイス６６を介して、ディスプレイやプリンタ等の出力装置、および、キーボードやマウス等の入力装置を制御する。ＣＰＵ６１は、入出力インターフェイス６６を介して、入力装置からデータを取得する。また、ＣＰＵ６１は、生成したデータを、入出力インターフェイス６６を介して出力装置へ出力する。
【００８４】
メディアインターフェイス６７は、記録媒体６８に格納されたプログラムまたはデータを読み取り、ＲＡＭ６２を介してＣＰＵ６１に提供する。ＣＰＵ６１は、当該プログラムを、メディアインターフェイス６７を介して記録媒体６８からＲＡＭ６２上にロードし、ロードしたプログラムを実行する。記録媒体６８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００８５】
コンピュータ６０が配送情報処理装置１０として機能する場合、コンピュータ６０のＣＰＵ６１は、ＲＡＭ６２上にロードされたプログラムを実行することにより、収集部１２ａ、生成部１２ｂ、提示部１２ｃおよび受付部１２ｄの各機能を実現する。また、ＨＤＤ６４は、記憶部１３の機能を実現し、購入情報１３ａおよび配送マスタ情報１３ｂ等が格納される。
【００８６】
コンピュータ６０のＣＰＵ６１は、これらのプログラムを、記録媒体６８から読み取って実行するが、他の例として、他の装置から、通信ネットワークＮを介してこれらのプログラムを取得してもよい。
【００８７】
〔５．効果〕
実施形態に係る配送情報処理システム１の配送情報処理装置１０は、生成部１２ｂと、提示部１２ｃとを備える。生成部１２ｂは、配送業者の配送可能時間帯が登録された配送マスタ情報１３ｂ、店舗の出荷可能時間帯が登録された店舗マスタ情報１３ｃ、および、電子商取引における購入者の購入情報１３ａに基づき、複数の商品の購入者へ向けた複数の配送プランを含む配送情報１３ｄを生成する。提示部１２ｃは、複数の配送プランを購入者へ提示する。これにより、電子商取引における配送業務の効率化を図ることができる。
【００８８】
また、上記複数の商品は、異なる店舗で購入された商品である。これにより、店舗が異なることで配送条件が異なりやすい複数の商品の配送について、配送条件を集約化したり、最適化したりしやすくすることができる。したがって、電子商取引における配送業務の効率化に資することができる。
【００８９】
また、上記異なる店舗は、１つの事業者が提供するサイバーモールＳＭにおける異なる店舗である。これにより、さらにサイバーモールＳＭが異なることで配送条件が異なりやすい複数の商品の配送について、配送条件を集約化したり、最適化したりしやすくすることができる。したがって、電子商取引における配送業務の効率化に資することができる。
【００９０】
また、上記複数の配送プランのそれぞれは、少なくとも配送業者、配送予定日時および配送料金の組み合わせである。これにより、配送プランを提示される購入者は、配送プランの比較に際しての重要な要素となる配送業者、配送予定日時および配送料金を容易に把握することができる。
【００９１】
また、配送マスタ情報１３ｂは、配送業者ごとの配送可能時間帯および配送業者それぞれが上記複数の商品をまとめて配送する場合の配送料金に関する情報を含む情報であり、店舗マスタ情報１３ｃは、店舗ごとの出荷可能時間帯および店舗ごとに利用可能な配送業者を含む情報である。これにより、配送業者ごとの配送可能時間帯や、まとめて配送する場合の配送料金、店舗ごとの出荷可能時間帯、利用可能な配送業者などのパラメータの多様な組み合わせによって配送プランを集約化および最適化することが可能となる。
【００９２】
また、生成部１２ｂは、複数の配送プランとして、基本プランおよびかかる基本プラン以外の推奨プランを生成する。これにより、購入者に対しては、購入した複数の商品の配送に関し、複数の配送プランの選択肢が付与されるので、購入者は、必要性や、自分の好みに応じた選択の多様性を享受することができる。また、各店舗や各配送業者、サイバーモールＳＭを運営する事業者は、購入者の満足度を向上させることができるとともに、顧客のリピート率の向上等を見込むことができる。
【００９３】
また、生成部１２ｂは、購入者が複数の商品を最も早く受け取れる場合を基本プランとして生成する。これにより、購入者がかかる基本プランを選択すれば、購入者は予定よりも早くすべての購入商品を受け取れると言う利便性を得ることができる。また、各店舗や各配送業者、サイバーモールＳＭを運営する事業者は、購入者の満足度を向上させることができるとともに、顧客のリピート率の向上等を見込むことができる。
【００９４】
また、生成部１２ｂは、配送料金が最も安くなる場合を基本プランとして生成する。これにより、購入者がかかる基本プランを選択すれば、購入者はすべての購入商品の配送料金を予定よりも安く済ませることができると言う利便性を得ることができる。また、各店舗や各配送業者、サイバーモールＳＭを運営する事業者は、やはり購入者の満足度を向上させることができるとともに、顧客のリピート率の向上等を見込むことができる。
【００９５】
また、生成部１２ｂは、購入者が所定の場所へ受け取りに行く場合を推奨プランとして生成する。これにより、購入者がかかる推奨プランを選択すれば、購入者はすべての購入商品を安い配送料金で、かつ、店頭で確実に受け取ることができると言う利便性を得ることができる。また、各配送業者等は、再配送が発生する機会を大幅に減らすことができるので、電子商取引における配送業務の効率化を図ることができる。
【００９６】
また、提示部１２ｃによって提示された複数の配送プランに対する操作を受け付ける受付部１２ｄをさらに備え、提示部１２ｃは、購入者によっていずれか１つが選択可能となるように複数の配送プランを提示し、受付部１２ｄは、複数の配送プランに対する購入者の選択操作を受け付けたならば、選択された配送プランの内容で複数の商品が配送されるように、生成部１２ｂに配送情報１３ｄを変更させる。これにより、購入者は、複数の商品に関する複数の配送プランを容易な選択操作で選択し、配送情報１３ｄへ反映させると言う利便性を得ることができる。
【００９７】
また、受付部１２ｄは、購入者によって指定される任意の配送プランを受け付け可能であって、生成部１２ｂは、受付部１２ｄによって任意の配送プランが受け付けられた場合に、かかる任意の配送プランが配送マスタ情報１３ｂおよび店舗マスタ情報１３ｃに基づいて配送不可と判定される場合であっても、かかる配送プランを配送情報１３ｄへ登録し、提示部１２ｃは、かかる配送不可の配送プランが登録された場合に、かかる配送プランでの配送が可能な配送業者および店舗からの申し込みの受け付けが可能となるようにかかる配送プランを配送業者および店舗へ提示する。
【００９８】
これにより、購入者が所望して指定した任意の配送プランが配送不可と判定される場合であっても、配送可能となり、実行される余地を残すことができる。したがって、購入者は、所望した配送条件での配送を期待することができる。また、配送業者および店舗側は、配送条件が合えば、配送件数が増えることとなり、物流の回転率の向上や、売上の増加に資することができる。
【００９９】
〔６．その他〕
以上、本願の実施形態の一態様を図面に基づいて詳細に説明したが、これは例示であり、発明の開示の欄に記載の態様を始めとして、当業者の知識に基づいて種々の変形、改良を施した他の形態で本発明を実施することが可能である。
【０１００】
たとえば上述した実施形態では、配送情報処理装置１０が記憶部１３に配送マスタ情報１３ｂおよび店舗マスタ情報１３ｃを保持している場合を例に挙げたが、これら配送マスタ情報１３ｂおよび店舗マスタ情報１３ｃは他のサーバ装置に保持され、配送情報処理装置１０は通信ネットワークＮ経由で参照することとしてもよい。
【０１０１】
また、上述した実施形態では、複数の商品が、１つのサイバーモールＳＭの中の異なる店舗でそれぞれ購入される場合を例に挙げたが、異なるサイバーモールＳＭ間の異なる店舗間でそれぞれ購入される場合であってもよい。
【０１０２】
また、上述した実施形態では、複数の商品の購入者Ａへ向けた複数の配送プランを生成し、提示する場合を例に挙げたが、１つの商品の購入者へ向けて複数の配送プランを生成し、提示してもよい。具体的には、この場合、配送される商品は１つであるので集約化されることはないが、たとえばその１つの商品の購入時指定の配送情報を「基本プラン」とし、購入者が所定の場所へ受け取りに行く場合等を「推奨プラン」として複数の配送プランを生成し、提示してもよい。少なくとも購入者が受け取りに行く場合は、再配送が生じる機会を減らすことができるので、かかる場合を購入者が選択した場合には、電子商取引における配送業務の効率化に資することができる。
【０１０３】
また、上述した実施形態では、配送不可の配送情報に対し、配送業者および店舗側から募集を受け付ける場合を例に挙げたが、オークション形式の入札制としてもよい。また、配送料金を割り増しして配送業者および店舗側へ配送プランを提示してもよい。
【０１０４】
また、上述した実施形態では、複数の商品をまとめて配送する場合に配送料金が割り引きされる場合を例に挙げたが、まとめて配送する手数料として、割り増し料金が加算される場合であってもよい。
【符号の説明】
【０１０５】
１  配送情報処理システム
１０  配送情報処理装置
１１  通信部
１２  制御部
１２ａ  収集部
１２ｂ  生成部
１２ｃ  提示部
１２ｄ  受付部
１３  記憶部
１３ａ  購入情報
１３ｂ  配送マスタ情報
１３ｃ  店舗マスタ情報
１３ｄ  配送情報
１３ｅ  配送履歴情報
【図１】
2019057039.tif 000003
【図２】
2019057039.tif 000004
【図３Ａ】
2019057039.tif 000005
【図３Ｂ】
2019057039.tif 000006
【図３Ｃ】
2019057039.tif 000007
【図４Ａ】
2019057039.tif 000008
【図４Ｂ】
2019057039.tif 000009
【図４Ｃ】
2019057039.tif 000010
【図４Ｄ】
2019057039.tif 000011
【図４Ｅ】
2019057039.tif 000012
【図４Ｆ】
2019057039.tif 000013
【図５】
2019057039.tif 000014
【図６】
2019057039.tif 000015
【図７】
2019057039.tif 000016
【図８】
2019057039.tif 000017